(57)【特許請求の範囲】
【請求項１】
第１波長に対する反射率と前記第１波長と異なる第２波長に対する反射率とが近似する一般インクと、前記第１波長に対しては前記一般インクの場合と反射率が近似し前記第２波長に対しては前記一般インクの場合と反射率が相違する特殊インクとで印刷された真正紙葉類と、前記一般インクと前記特殊インクとのいずれか一方で印刷された偽造紙葉類とを識別する紙葉類真偽識別装置において、
前記第１波長の光で前記紙葉類を照明する第１の照明手段と、
前記第２波長の光で前記紙葉類を照明する第２の照明手段と、
前記第１波長に対して感度を有する第１のエリアセンサと、前記紙葉類で反射した光による像を前記第１のエリアセンサに結像する第１の結像光学系とを含み、前記紙葉類を撮像する第１の撮像手段と、
前記第２波長に対して感度を有する第２のエリアセンサと、前記紙葉類で反射した光による像を前記第２のエリアセンサに結像する第２の結像光学系とを含み、前記紙葉類を撮像する第２の撮像手段と、
前記第１のエリアセンサによって得られた前記第１波長に対する画像データと前記第２のエリアセンサによって得られた前記第２波長に対する画像データとに基づいて、前記特殊インクで描かれた画像を抽出する画像抽出手段と、
前記画像抽出手段によって抽出された前記画像を表示する表示手段と
を備え、
前記特殊インクは、
前記第１波長に対する反射率と比較して前記第２波長に対する反射率が大きく、
前記画像抽出手段は、
前記第２の波長に対する画像データの白黒レベルを各画素毎に反転する画像データ反転手段と、
前記第１の波長に対する画像データと前記画像データ反転手段から出力された前記第２の波長に対する画像データとを各画素毎に重ね合わせた重畳画像データを生成する重畳手段と
を備え、
前記重畳手段によって生成された重畳画像データに基づいて、前記特殊インクで描かれた画像を抽出することを特徴とした紙葉類真偽識別装置。
【請求項２】
前記紙葉類で反射した光を前記第１の結像光学系と前記第２の結像光学系との２方向に分岐させる光分岐手段とを更に備えることを特徴とした請求項１記載の紙葉類真偽識別装置。
【請求項３】
前記第１波長の光と前記第２波長の光とが可視光線と赤外線との組み合わせであることを特徴とした請求項１又は２に記載の紙葉類真偽識別装置。
【発明の詳細な説明】
【０００１】
【発明の属する技術分野】
本発明は、紙幣、印紙、有価証券などの紙葉類の真偽を識別する紙葉類真偽識別装置に関する。
【０００２】
【従来の技術】
従来の紙葉類真偽識別装置は、赤外線で紙葉類を照明する光照明部と、光照明部の照明下で紙葉類を撮影する赤外線カメラと、赤外線カメラで撮影された映像を表示するテレビモニタとを備えている。そして、赤外線カメラで撮影した映像をオペレータがテレビモニタで観察して、紙葉類の真偽を識別している。
【０００３】
即ち、真正紙葉類は、可視光線に対する反射率と赤外線に対する反射率とが異なる特殊インクで印刷されているので、赤外線で紙葉類を照明すると可視光下での模様と異なった模様が紙葉類の表面に現れる。これに対して、偽造紙葉類は、可視光線に対する反射率と赤外線に対する反射率とがほぼ等しい一般インクで印刷されているので、赤外線で紙葉類を照明しても可視光下での表面の模様と変わらない。このため、赤外線で照明した紙葉類の表面に異なる模様が現れるかテレビモニタで確認することにより、紙葉類の真偽が判定できる。
【０００４】
【発明が解決しようとする課題】
しかしながら、従来の紙葉類真偽識別装置では、可視光線下での紙葉類表面の模様と赤外線下での紙葉類表面の模様とが部分的にしか異ならない場合、これらの違いを見つけるのは難しかった。このため、熟練したオペレータが判定するか、或いは、紙葉類表面の模様を印刷した見本を手元に置いてこの見本とテレビモニタに表示される映像とを比較して判定しなければならなかった。
【０００５】
本発明は、このような問題を解決し、熟練したオペレータを必要とせず、且つ、見本と比較しなくても紙葉類の真偽を容易に判定できる紙葉類真偽識別装置を提供することを目的とする。
【０００６】
【課題を解決するための手段】
上記課題を解決するために、本発明の紙葉類真偽識別装置は、第１波長に対する反射率と第１波長と異なる第２波長に対する反射率とが近似する一般インクと、第１波長に対しては一般インクの場合と反射率が近似し第２波長に対しては一般インクの場合と反射率が相違する特殊インクとで印刷された真正紙葉類と、一般インクと特殊インクとのいずれか一方で印刷された偽造紙葉類とを識別する紙葉類真偽識別装置であって、第１波長の光で紙葉類を照明する第１の照明手段と、第２波長の光で紙葉類を照明する第２の照明手段と、第１波長に対して感度を有する第１のエリアセンサと紙葉類で反射した光による像を第１のエリアセンサに結像する第１の結像光学系とを含み紙葉類を撮像する第１の撮像手段と、第２波長に対して感度を有する第２のエリアセンサと紙葉類で反射した光による像を第２のエリアセンサに結像する第２の結像光学系とを含み紙葉類を撮像する第２の撮像手段と、第１のエリアセンサによって得られた第１波長に対する画像データと第２のエリアセンサによって得られた第２波長に対する画像データとに基づいて、特殊インクで描かれた画像を抽出する画像抽出手段と、画像抽出手段によって抽出された画像を表示する表示手段とを備え、特殊インクは、第１波長に対する反射率と比較して第２波長に対する反射率が大きく、画像抽出手段は、第２の波長に対する画像データの白黒レベルを各画素毎に反転する画像データ反転手段と、第１の波長に対する画像データと画像データ反転手段から出力された第２の波長に対する画像データとを各画素毎に重ね合わせた重畳画像データを生成する重畳手段とを備え、重畳手段によって生成された重畳画像データに基づいて、特殊インクで描かれた画像を抽出することを特徴としている。
【０００７】
このような構成を採用した場合、第１の照明手段から出射された第１の波長の光と、第２の照明手段から出射された第２の波長の光とで紙葉類は照明される。これらの照明によって紙葉類で反射した光は第１の結像光学系と第２の結像光学系とに入射され、入射光による像が第１のエリアセンサと第２のエリアセンサとにそれぞれ結像される。第１のエリアセンサは第１波長に対する感度を有しているので、第１の照明手段から出射された第１の波長の光による紙葉類の像が第１のエリアセンサから撮像される。また、第２のエリアセンサは第２波長に対する感度を有しているので、第２の照明手段から出射された第２の波長の光による紙葉類の像が第２のエリアセンサで撮像される。すなわち、撮像によって第１のエリアセンサからは第１波長に対する画像データが得られ、第２のエリアセンサからは第２波長に対する画像データが得られる。
【０００８】
ここで、紙葉類の表面のうち、一般インクで印刷された部分は、第１波長に対する反射率と第２波長に対する反射率とが近似するので、第１のエリアセンサによって得られる画像データと、第２のエリアセンサによって得られる画像データとはほぼ等しくなる。これに対し、特殊インクで印刷された部分は、第１波長に対する反射率が一般インクの場合と近似して第２波長に対する反射率が一般インクの場合と相違するため、第１のエリアセンサによって得られる画像データと第２のエリアセンサによって得られる画像データとは異なったものとなる。従って、第１のエリアセンサによって得られた第１波長に対する画像データと第２のエリアセンサによって得られた第２波長に対する画像データとを用いることで、第１波長に対する画像データと第２波長に対する画像データとの相違部分、すなわち、特殊インクで描かれた画像を抽出することが可能となる。
【０００９】
一般インクにおける第１波長に対する反射率と特殊インクにおける第１波長に対する反射率とが近似し、かつ、比較的小さいことから、第１のエリアセンサによって得られる画像データは、紙葉類の背景部分が白で、一般インク及び特殊インクで描かれた部分が黒で表示される画像データとなる。また、特殊インクにおける第２波長に対する反射率が一般インクにおける第２波長に対する反射率と比較して大きいことから、第２のエリアセンサによって得られる画像データは、紙葉類の背景部分及び特殊インクで描かれた部分が白で、一般インクで描かれた部分が黒で表示される画像データとなる。

【００１０】
続いて、画像データ反転手段によって第２の波長に対する画像データの白黒レベルを各画素毎に反転することにより、画像データ反転手段から出力された画像データは、紙葉類の背景部分及び特殊インクで描かれた部分が黒で、一般インクで描かれた部分が白で表示される画像データとなる。

【００１１】
さらに、重畳手段により、第１の波長に対する画像データと画像データ反転手段から出力された第２の波長に対する画像データとを各画素毎に重ね合わせることで、紙葉類の背景部分及び一般インクで描かれた部分が白で、特殊インクで描かれた部分が黒の画像データとなり、特殊インクで描かれた画像を抽出することが可能となる。

【００１２】
より具体的には、画像データとして、例えば０．０Ｖ（黒レベル）〜０．７Ｖ（白レベル）の範囲内の電圧信号が用いられることを考えると、第１の波長に対する画像データと画像データ反転手段から出力された第２の波長に対する画像データとを各画素を比較した場合、双方の画素が黒、すなわち電圧信号が０Ｖの場合は、当該画素値を重ね合わせた場合にも、電圧信号が０Ｖ、すなわち黒となるが、一方あるいは双方の画素が白、すなわち電圧信号が０．７Ｖの場合は、当該画素値を重ね合わせた場合は、電圧信号が０．７Ｖ、すなわち白となる。従って、第１の波長に対する画像データと画像データ反転手段から出力された第２の波長に対する画像データとの双方において黒で表示されている特殊インクで描かれた部分のみが抽出されることになる。

【００１３】
本発明の紙葉類真偽識別装置は、紙葉類で反射した光を第１の結像光学系と第２の結像光学系との２方向に分岐させる光分岐手段とを更に備えることを特徴としても良い。

【００１４】
このような構成を採用した場合、第１の結像光学系に向けて反射した光による紙葉類の像が第１のエリアセンサで撮像される。また、第２の結像光学系に向けて反射した光による紙葉類の像が第２のエリアセンサで撮像される。

【００２２】
本発明の紙葉類真偽識別装置は、第１波長の光と第２波長の光とが可視光線と赤外線との組み合わせであることを特徴としても良い。
【００２３】
このような構成を採用した場合、第１波長の波長帯域と第２波長の波長帯域とが重なることがないので、特殊インクで印刷された部分の画像と一般インクで印刷された部分の画像との境界が明確になり、真正紙葉類と偽造紙葉類との判定が容易になる。
【００２４】
【発明の実施の形態】
以下、本発明に係る紙葉類真偽識別装置の好適な実施形態について添付図面を参照して説明する。尚、以下の実施形態にかかる紙葉類真偽識別装置は、可視波長域（第１波長）に対する反射率と赤外波長域（第１波長と異なる第２波長）に対する反射率とが近似する一般インクと、可視波長域に対しては一般インクの場合と反射率が近似し赤外波長域に対しては一般インクの場合と比較して反射率が極めて大きい特殊インクとで印刷された真正紙葉類と、上記一般インクと上記特殊インクとのいずれか一方で印刷された偽造紙葉類とを識別する紙葉類真偽識別装置である。
【００２５】
（第１の実施形態）
図１は、第１の実施形態である紙葉類真偽識別装置１を示す断面図である。図１に示すように、紙葉類真偽識別装置１は直方体形状の遮光ケース１０を備え、遮光ケース１０の上板１０ａに表示窓１１が、下板１０ｂに読取窓１２がそれぞれ設けられている。そして、表示窓１１及び読取窓１２には保護ガラスがはめ込まれている。遮光ケース１０内部の一方の側板１０ｃには、可視光線を照射する緑色ＬＥＤ（第１の照明手段）２０が斜め下方を向けて取り付けられている。また、遮光ケース１０内部の他方の側板１０ｄには、赤外線を照射する赤外ＬＥＤ（第２の照明手段）３０が斜め下方を向けて取り付けられている。このため、緑色ＬＥＤ２０から照射される可視光線と、赤外ＬＥＤ３０から照射される赤外線とで読取窓１２の全面が照明される。
【００２６】
表示窓１１の下にはモノクロ液晶パネル等のビデオモニタ（表示手段）４０が配設され、読取窓１２の下方の映像を表示することができる。さらに、ビデオモニタ４０の下にはバックライトユニット４１が配設され、十分なコントラストが得られるようにビデオモニタ４０に対して光を照射することができる。ここで、バックライトユニット４１の光源には白色蛍光灯が用いられる。
【００２７】
バックライトユニット４１の下には、上板１０ａから吊り下げられた仕切り板５０が設けられ、仕切り板５０の下面には、可視光帯域に感度を有するエリアセンサ（第１のエリアセンサ）６０が、センサ面６０ａと読取窓１２とを対峙させて配設されている。さらに、エリアセンサ６０の下には、読取窓１２で反射した光による像をエリアセンサ６０のセンサ面６０ａに結像させる結像レンズ（第１の結像光学系）６１が配設されている。
【００２８】
また、エリアセンサ６０と読取窓１２との間の光路上には、読取窓１２で反射した光のうち、可視光線を透過させてエリアセンサ６０に向けて直進させると共に、赤外線を反射させて側板１０ｄに向けて直進させるダイクロイックミラーからなるビームスプリッタ（光分岐手段）７０が配設されている。さらに、ビームスプリッタ７０で反射した光の光路上における側板１０ｄには、赤外帯域に感度を有するエリアセンサ（第２のエリアセンサ）８０と、ビームスプリッタ７０で反射した光による像をエリアセンサ８０のセンサ面８０ａに結像させる結像レンズ（第２の結像光学系）８１とが配設されている。ここで、結像レンズ６１と結像レンズ８１、及び、エリアセンサ６０とエリアセンサ８０とはビームスプリッタ７０に対してそれぞれ対称な位置に設けられている。
【００２９】
仕切り板５０の上面には回路基板９０が設けられ、この回路基板９０には、図２に示すように、エリアセンサ６０によって得られた可視波長域に対する映像信号（画像データ）とエリアセンサ８０によって得られた赤外波長域に対する映像信号とに基づいて、特殊インクで描かれた画像を抽出する画像抽出手段を構成する映像回路９１，９２、信号レベル反転回路（画像データ反転手段）９３及び信号レベル加算回路（重畳手段）９４が設けられている。映像回路９１は、エリアセンサ６０から出力された映像信号を入力してこの映像信号をＴＶ信号に変換する回路であり、映像回路９２は、エリアセンサ８０から出力された映像信号を入力してこの映像信号をＴＶ信号に変換する回路である。また、信号レベル反転回路９３は、映像回路９２から出力されたＴＶ信号の信号レベルを各画素毎に反転させる回路である。ここで、信号レベルを反転させるとは、例えば０．０Ｖ（黒レベル）〜０．７Ｖ（白レベル）の範囲内の電圧信号で表されたＴＶ信号の白黒レベルを反転させることをいう。より具体的には、例えば０．０Ｖ（黒レベル）〜０．７Ｖ（白レベル）の範囲内でｘＶで表された信号レベルを、０．７−ｘＶとすることである。さらに、信号レベル加算回路９４は、信号レベル反転回路９３から出力されたＴＶ信号と映像回路９１から出力されたＴＶ信号との信号レベルを各画素毎に重ね合わせる回路である。ここで信号レベルを重ね合わせるとは、例えば０．０Ｖ（黒レベル）〜０．７Ｖ（白レベル）の範囲内で表された２つの信号レベルのうち大きい方の値をとることを言う。例えば、２つの信号レベルが双方とも０．０Ｖ（黒レベル）の場合は、重ね合わせた結果も０．０Ｖ（黒レベル）となるが、２つの信号レベルの双方あるいはいずれか一方が０．７Ｖ（白レベル）の場合は、重ね合わせた結果は０．７Ｖ（白レベル）となる。
【００３０】
なお、紙葉類真偽識別装置１では、ダイクロイックミラーからなるビームスプリッタ７０を用いて入射光を可視光線と赤外線とに分離させているが、ダイクロイックミラーでない一般的なビームスプリッタを用いて、入射光を波長分離させることなく２方向に分けてもよい。この場合でも、エリアセンサ６０は可視光帯域に感度を有し、エリアセンサ８０は赤外帯域に感度を有するので、エリアセンサ６０で可視光線による像が撮像されると共に、エリアセンサ８０で赤外線による像が撮像される。
【００３１】
次に、第１の実施形態である紙葉類真偽識別装置１の動作について説明する。図３に示すように、紙幣（紙葉類）Ａの上に紙葉類真偽識別装置１を置いて、電源スイッチ（図示せず）を投入すると、図１の緑色ＬＥＤ２０及び赤外ＬＥＤ３０が点灯して、緑色ＬＥＤ２０から照射される可視光線と赤外ＬＥＤ３０から照射される赤外線とで紙幣Ａが均一に照明される。紙幣Ａで反射した光は上方に直進して、ビームスプリッタ７０に入射する。ビームスプリッタ７０に入射した光のうち、可視光線はビームスプリッタ７０を透過して、結像レンズ６１によりエリアセンサ６０のセンサ面６０ａに像を結ぶ。また、ビームスプリッタ７０に入射した光のうち、赤外線はビームスプリッタ７０で反射して、結像レンズ８１によりエリアセンサ８０のセンサ面８０ａに像を結ぶ。
【００３２】
エリアセンサ６０のセンサ面６０ａに像が形成されると、この像の映像信号がエリアセンサ６０から出力される。エリアセンサ６０から出力された映像信号は、映像回路９１でＴＶ信号に変換され、信号レベル加算回路９４に入力される。また、エリアセンサ８０のセンサ面８０ａに像が形成されると、この像の映像信号がエリアセンサ８０から出力される。エリアセンサ８０から出力された映像信号は、映像回路９２でＴＶ信号に変換され、信号レベル反転回路９３に入力される。入力されたＴＶ信号の信号レベルは、信号レベル反転回路９３で画素毎に反転させられて、信号レベル加算回路９４に入力される。
【００３３】
このように信号レベル加算回路９４には、信号レベル反転回路９３からのＴＶ信号と映像回路９１からのＴＶ信号とが入力され、これらのＴＶ信号の信号レベルが画素ごとに重ね合わせられる。信号レベル加算回路９４で重ね合わせられたＴＶ信号はビデオモニタ４０に与えられ、このＴＶ信号が紙幣Ａの画像として表示窓１１に表示される。
【００３４】
ここで、一般インクにおける可視波長域に対する反射率と特殊インクにおける可視波長域に対する反射率とが近似し、かつ、比較的小さいことから、エリアセンサ６０から出力される映像信号は、紙幣Ａの背景部分が白（背景部分は反射率が高いため）で、一般インク及び特殊インクで描かれた部分が黒で表示される映像信号となる。また、特殊インクにおける赤外波長域に対する反射率が一般インクにおける赤外波長域に対する反射率と比較して極めて大きいことから、エリアセンサ８０から出力される映像信号は、紙幣Ａの背景部分及び特殊インクで描かれた部分が白で、一般インクで描かれた部分が黒で表示される映像信号となる。
【００３５】
続いて、信号レベル反転回路９３によって映像回路９２から出力されたＴＶ信号の白黒レベルを各画素毎に反転することにより、当該ＴＶ信号は、紙幣Ａの背景部分及び特殊インクで描かれた部分が黒で、一般インクで描かれた部分が白で表示されるＴＶ信号となる。
【００３６】
さらに、信号レベル加算回路９４により、信号レベル反転回路９３によって反転させたＴＶ信号と映像回路９１から出力されたＴＶ信号とを各画素毎に重ね合わせることで、紙幣Ａの背景部分及び一般インクで描かれた部分が白で、特殊インクで描かれた部分が黒のＴＶ信号となり、特殊インクで描かれた画像を抽出することが可能となる。その結果、特殊インクで印刷された部分は黒の画像として表示窓１１に表示される。
【００３７】
ここで、紙幣Ａが顔の部分に特殊インクを用いてそれ以外の部分に一般インクを用いて印刷した真正紙幣の場合、紙幣Ａの模様の白と黒とが反転し且つ顔の部分が黒く塗りつぶされたＴＶ信号が信号レベル反転回路９３から出力される（図４（ａ）参照）。また、紙幣Ａの模様のＴＶ信号が映像回路９１から出力される（図４（ｂ）参照）。そして、これらのＴＶ信号が信号レベル加算回路９４で重ね合わせられることにより、顔の部分だけの画像が表示窓１１に表示される（図４（ｃ）参照）。
【００３８】
従って、表示窓１１に表示された画像に基づいて紙幣Ａの真偽を判定する場合、真正紙幣の画像は顔の部分だけが浮かび上がるので、真正紙幣の判定を容易に行うことができる。また、赤外線を反射するインクによるカラーコピーで作成された偽造紙幣の画像は全面が肉眼で見たと同様に見えるので、カラーコピーによる偽造紙幣の判定も容易である。さらに、赤外線を吸収するトナーによるモノクロコピーで作成された偽造紙幣の画像は全面が白くなるので、モノクロコピーによる偽造紙幣の判定も容易である。以上のように、紙幣Ａの真偽の判定は表示窓１１に表示された画像に基づいて容易に行うことができるので、熟練したオペレータを必要とせず、且つ、見本と比較する必要もない。
【００３９】
なお、一般インクの部分で反射した光によるエリアセンサ６０，８０の受光量とがほぼ等しくなるのは、可視光線と赤外線との照射量がほぼ等しく、且つエリアセンサ６０，８０の受光感度が同一であるからである。ここで、可視光線と赤外線との照射量が異なる場合には、受光感度の異なるエリアセンサ６０，８０を用いることにより、エリアセンサ６０，８０の受光量をほぼ等しくさせることができる。また、エリアセンサ６０，８０の受光感度が異なる場合にも、可視光線と赤外線との照射量を変えることにより、エリアセンサ６０，８０の受光量とをほぼ等しくさせることができる。また、上記実施形態にかかる構成においては、結像レンズ６１と結像レンズ８１、及び、エリアセンサ６０とエリアセンサ８０とがビームスプリッタ７０に対してそれぞれ対称な位置に設けられていることから、画像を重ね合わせる際の位置ずれ等の問題を考慮する必要がなく、精度の高い真偽判定が可能となる。
【００４０】
（第２の実施形態）
次に、第２の実施形態である紙葉類真偽識別装置２を説明する。図５は、紙葉類真偽識別装置２を示す断面図である。また、図６は、紙葉類真偽識別装置２の内部構成を示すブロック図である。この第２の実施形態が図１に示す第１の実施形態と異なるのは、緑色ＬＥＤ２０及び赤外ＬＥＤ３０の代わりに、可視光線と赤外線との範囲を包含した波長帯域の光を照射する光源（照明手段）１００を備えている点である。その他の構成については第１の実施形態と同一又は同等である。なお、第１の実施形態と同一又は同等な構成部分については同一符号を付し、その説明は省略する。
【００４１】
図５及び図６に示すように、遮光ケース１０内部の一方の側板１０ｃには光源１００が斜め下方を向けて取り付けられ、光源１００から照射される光によって紙幣Ａは均一に照明される。紙幣Ａで反射した光は上方に直進して、ビームスプリッタ７０で可視光線と赤外線とに分離される。そして、可視光線はエリアセンサ６０に、赤外線はエリアセンサ８０にそれぞれ入射され、各エリアセンサ６０，８０から映像信号が出力される。エリアセンサ６０から出力された映像信号は、映像回路９１でＴＶ信号に変換され、信号レベル加算回路９４に入力される。また、エリアセンサ８０のセンサ面８０ａに像が形成されると、この像の映像信号がエリアセンサ８０から出力される。エリアセンサ８０から出力された映像信号は、映像回路９２でＴＶ信号に変換され、信号レベル反転回路９３に入力される。入力されたＴＶ信号の信号レベルは、信号レベル反転回路９３で画素ごとに反転させられて、信号レベル加算回路９４に入力される。
【００４２】
このように信号レベル加算回路９４には、信号レベル反転回路９３からのＴＶ信号と映像回路９１からのＴＶ信号とが入力され、これらのＴＶ信号の信号レベルが画素ごとに重ね合わせられる。信号レベル加算回路９４で重ね合わせられたＴＶ信号はビデオモニタ４０に与えられ、このＴＶ信号が紙幣Ａの画像として表示窓１１に表示される。
【００４３】
上述したように、紙幣Ａが偽造紙幣の場合には、全面が肉眼で見たと同様の画像、或いは全面が白レベルの画像が表示窓１１に表示され、紙幣Ａが真正紙幣の場合には、顔の部分だけの画像が表示窓１１に表示される。従って、表示窓１１に表示された画像に基づいて紙幣Ａの真偽を判定する場合、真正紙幣の画像は顔の部分だけが浮かび上がるので、真正紙幣の判定を容易に行うことができる。また、赤外線を反射するインクによるカラーコピーで作成された偽造紙幣の画像は全面が肉眼で見たと同様に見えるので、カラーコピーによる偽造紙幣の判定も容易である。さらに、赤外線を吸収するトナーによるモノクロコピーで作成された偽造紙幣の画像は全面が白くなるので、モノクロコピーによる偽造紙幣の判定も容易である。以上のように、紙幣Ａの真偽の判定は表示窓１１に表示された画像に基づいて容易に行うことができるので、熟練したオペレータを必要とせず、且つ、見本と比較する必要もない。
【００４４】
（第３の実施形態）
次に、第３の実施形態である紙葉類真偽識別装置３を説明する。図７は、紙葉類真偽識別装置３を示す断面図である。また、図８は、紙葉類真偽識別装置３の構成を示すブロック図である。この第３の実施形態が図１に示す第１の実施形態と異なるのは、ビームスプリッタ７０、エリアセンサ８０、結像レンズ８１および映像回路９２を備えていない点と、エリアセンサ６０の代わりに可視及び赤外の波長に感度を有するエリアセンサ１１０を備えている点と、回路基板９０に照明切換回路（照明切換手段）１２０および映像切換回路（切換手段）１３０が設けられている点と、映像切換回路１３０からの映像信号を入力するフレームメモリ１４０，１５０を備えている点である。その他の構成については第１の実施形態と同一又は同等である。なお、第１の実施形態と同一又は同等な構成部分については同一符号を付し、その説明は省略する。
【００４５】
図７及び図８に示すように、映像回路９１からＴＶ同期信号が出力され、このＴＶ同期信号が照明切換回路１２０と映像切換回路１３０とに並列に入力される。ＴＶ同期信号は、映像回路９１で変換されるＴＶ信号のフィールド走査のうち、偶数走査線のフィールド走査ごとに第１切換パルスを発生させ、奇数走査線のフィールド走査ごとに第２切換パルスを発生させている。そして、これらの切換パルスのタイミングで照明切換回路１２０は、照明電源１６０からの電力の供給先を、緑色ＬＥＤ２０と赤外ＬＥＤ３０との間で交互に切り換えている。即ち、第１切換パルスのタイミングで緑色ＬＥＤ２０に電力を供給し、第２切換パルスのタイミングで赤外ＬＥＤ３０に電力を供給している。ここで、ＴＶ同期信号のフィールド走査は一秒間に６０回行われるので、緑色ＬＥＤ２０および赤外ＬＥＤ３０は一秒間に３０回ずつ点灯する。
【００４６】
このように、緑色ＬＥＤ２０と赤外ＬＥＤ３０とが交互に点灯すると、緑色ＬＥＤ２０から照射される可視光線と赤外ＬＥＤ３０から照射される赤外線とで紙幣Ａが均一に照明される。紙幣Ａで反射した光はエリアセンサ１１０に入射され、エリアセンサ１１０から映像信号が出力される。
【００４７】
ここで、エリアセンサ１１０は、所謂フレームインターライン転送型ＣＣＤで、感光部、垂直転送部、蓄積部、水平転送路および出力部を含んでいるものとする。このため、エリアセンサ１１０では、まず可視光線が点灯し感光部がこれを受光すると、切り換えを示す垂直同期信号のタイミングにより直ちにこの電荷を蓄積部に高速に転送する。続いて、赤外光源が点灯し感光部がこれを受光している間、蓄積部に蓄積された可視光時の電荷を水平転送路を介して出力部から出力する。さらに、次の垂直同期信号に従って可視光が再び点灯し感光部がこれを受光している間、同様に蓄積部に蓄積された赤外光時の電荷を高速転送して出力するよう動作を繰り返す。
【００４８】
そして、エリアセンサ１１０から出力された映像信号は、映像回路９１でＴＶ信号に変換され、映像切換回路１３０に入力される。映像切換回路１３０も照明切換回路１２０と同様、ＴＶ同期信号の各切換パルスのタイミングで、ＴＶ信号を入力するメモリをフレームメモリ１４０とフレームメモリ１５０とで切り換えている。
【００４９】
即ち、緑色ＬＥＤ２０を点灯させる第１切換パルスのタイミングで、映像回路９１から出力されたＴＶ信号がフレームメモリ１４０に入力される。そして、フレームメモリ１４０から出力されたＴＶ信号の信号レベルが、信号レベル加算回路９４に入力される。また、赤外ＬＥＤ３０を点灯させる第２切換パルスのタイミングで、映像回路９１から出力されたＴＶ信号がフレームメモリ１５０に入力される。そして、フレームメモリ１５０から出力されたＴＶ信号が信号レベル反転回路９３で画素ごとに反転させられて、信号レベル加算回路９４に入力される。
【００５０】
このように信号レベル加算回路９４には、信号レベル反転回路９３からのＴＶ信号とフレームメモリ１４０からのＴＶ信号とが入力され、これらのＴＶ信号の信号レベルが画素ごとに重ね合わせられる。信号レベル加算回路９４で重ね合わせられたＴＶ信号はビデオモニタ４０に与えられ、このＴＶ信号が紙幣Ａの画像として表示窓１１に表示される。
【００５１】
ここで、一般インクにおける可視波長域に対する反射率と特殊インクにおける可視波長域に対する反射率とが近似し、かつ、比較的小さいことから、フレームメモリ１４０から出力される映像信号は、紙幣Ａの背景部分が白（背景部分は反射率が高いため）で、一般インク及び特殊インクで描かれた部分が黒で表示される映像信号となる。また、特殊インクにおける赤外波長域に対する反射率が一般インクにおける赤外波長域に対する反射率と比較して極めて大きいことから、フレームメモリ１５０から出力される映像信号は、紙幣Ａの背景部分及び特殊インクで描かれた部分が白で、一般インクで描かれた部分が黒で表示される映像信号となる。
【００５２】
続いて、信号レベル反転回路９３によってフレームメモリ１５０から出力されたＴＶ信号の白黒レベルを各画素毎に反転することにより、当該ＴＶ信号は、紙幣Ａの背景部分及び特殊インクで描かれた部分が黒で、一般インクで描かれた部分が白で表示されるＴＶ信号となる。
【００５３】
さらに、信号レベル加算回路９４により、信号レベル反転回路９３によって反転させたＴＶ信号とフレームメモリ１４０から出力されたＴＶ信号とを各画素毎に重ね合わせることで、紙幣Ａの背景部分及び一般インクで描かれた部分が白で、特殊インクで描かれた部分が黒のＴＶ信号となり、特殊インクで描かれた画像を抽出することが可能となる。その結果、特殊インクで印刷された部分は黒の画像として表示窓１１に表示される。
【００５４】
ここで、紙幣Ａが顔の部分に特殊インクを用いてそれ以外の部分に一般インクを用いて印刷した真正紙幣の場合、紙幣Ａの模様の白と黒とが逆転し且つ顔の部分が黒く塗りつぶされたＴＶ信号が信号レベル反転回路９３から出力される（図４（ａ）参照）。また、紙幣Ａの模様のＴＶ信号がフレームメモリ１４０から出力される（図４（ｂ）参照）。そして、これらのＴＶ信号の信号レベルが信号レベル加算回路９４で重ね合わせられることにより、顔の部分だけの画像が表示窓１１に表示される（図４（ｃ）参照）。
【００５５】
従って、表示窓１１に表示された画像に基づいて紙幣Ａの真偽を判定する場合、真正紙幣の画像は顔の部分だけが浮かび上がるので、真正紙幣の判定は容易に行うことができる。また、赤外線を反射するインクによるカラーコピーで作成された偽造紙幣の画像は全面が肉眼で見たと同様の画像となるので、カラーコピーによる偽造紙幣の判定も容易である。さらに、赤外線を吸収するトナーによるモノクロコピーで作成された偽造紙幣の画像は全面が白くなるので、モノクロコピーによる偽造紙幣の判定も容易である。以上のように、紙幣Ａの真偽の判定は表示窓１１に表示された画像に基づいて容易に行うことができるので、熟練したオペレータを必要とせず、且つ、見本と比較する必要もない。
【００５６】
（第４の実施形態）
続いて、本発明の第４の実施形態にかかる紙葉類真偽識別装置について説明する。この第４の実施形態が図１に示す第１の実施形態と異なるのは、仕切り板５０の下面に、赤外帯域に感度を有するエリアセンサ８０と結像レンズ８１が配設され、側板１０ｄに、可視光帯域に感度を有するエリアセンサ６０及び結像レンズ６１とが配設され、ビームスプリッタ７０が、赤外線を透過させてエリアセンサ８０に向けて直進させると共に、可視光線を反射させて側板１０ｄに向けて直進させるダイクロイックミラーである点である。以下、詳細に説明する。
【００５７】
図９は、第４の実施形態である紙葉類真偽識別装置４を示す断面図である。図９に示すように、紙葉類真偽識別装置４は直方体形状の遮光ケース１０を備え、遮光ケース１０の上板１０ａに表示窓１１が、下板１０ｂに読取窓１２がそれぞれ設けられている。そして、表示窓１１及び読取窓１２には保護ガラスがはめ込まれている。遮光ケース１０内部の一方の側板１０ｃには、可視光線を照射する緑色ＬＥＤ２０が斜め下方を向けて取り付けられている。また、遮光ケース１０内部の他方の側板１０ｄには、赤外線を照射する赤外ＬＥＤ３０が斜め下方を向けて取り付けられている。このため、緑色ＬＥＤ２０から照射される可視光線と、赤外ＬＥＤ３０から照射される赤外線とで読取窓１２の全面が照明される。
【００５８】
表示窓１１の下にはモノクロ液晶パネル等のビデオモニタ４０が配設され、読取窓１２の下方の映像を表示することができる。さらに、ビデオモニタ４０の下にはバックライトユニット４１が配設され、十分なコントラストが得られるようにビデオモニタ４０に対して光を照射することができる。ここで、バックライトユニット４１の光源には白色蛍光灯が用いられる。
【００５９】
バックライトユニット４１の下には、上板１０ａから吊り下げられた仕切り板５０が設けられ、仕切り板５０の下面には、赤外帯域に感度を有するエリアセンサ８０が、センサ面８０ａと読取窓１２とを対峙させて配設されている。さらに、エリアセンサ８０の下には、読取窓１２で反射した光による像をエリアセンサ８０のセンサ面８０ａに結像させる結像レンズ８１が配設されている。
【００６０】
また、エリアセンサ８０と読取窓１２との間の光路上には、読取窓１２で反射した光のうち、赤外線を透過させてエリアセンサ８０に向けて直進させると共に、可視光線を反射させて側板１０ｄに向けて直進させるダイクロイックミラーからなるビームスプリッタ７０が配設されている。さらに、ビームスプリッタ７０で反射した光の光路上における側板１０ｄには、可視光帯域に感度を有するエリアセンサ６０と、ビームスプリッタ７０で反射した光による像をエリアセンサ６０のセンサ面６０ａに結像させる結像レンズ６１とが配設されている。
【００６１】
仕切り板５０の上面には回路基板９０が設けられ、この回路基板９０には、図１０に示す映像回路９１，９２、信号レベル反転回路９３及び信号レベル加算回路９４が設けられている。映像回路９１は、エリアセンサ６０から出力された映像信号を入力してこの映像信号をＴＶ信号に変換する回路であり、映像回路９２は、エリアセンサ８０から出力された映像信号を入力してこの映像信号をＴＶ信号に変換する回路である。また、信号レベル反転回路９３は、映像回路９２から出力されたＴＶ信号の信号レベルを反転させる回路である。さらに、信号レベル加算回路９４は、信号レベル反転回路９３から出力されたＴＶ信号と映像回路９１から出力されたＴＶ信号との信号レベルを重ね合わせる回路である。
【００６２】
なお、紙葉類真偽識別装置４では、ダイクロイックミラーからなるビームスプリッタ７０を用いて入射光を可視光線と赤外線とに分離させているが、ダイクロイックミラーでない一般的なビームスプリッタを用いて、入射光を波長分離させることなく２方向に分けてもよい。この場合でも、エリアセンサ６０は可視光帯域に感度を有し、エリアセンサ８０は赤外帯域に感度を有するので、エリアセンサ６０で可視光線による像が撮像されると共に、エリアセンサ８０で赤外線による像が撮像される。
【００６３】
次に、第４の実施形態である紙葉類真偽識別装置４の動作について説明する。図１１に示すように、紙幣Ａの上に紙葉類真偽識別装置４を置いて、電源スイッチ（図示せず）を投入すると、図９の緑色ＬＥＤ２０及び赤外ＬＥＤ３０が点灯して、緑色ＬＥＤ２０から照射される可視光線と赤外ＬＥＤ３０から照射される赤外線とで紙幣Ａが均一に照明される。紙幣Ａで反射した光は上方に直進して、ビームスプリッタ７０に入射する。ビームスプリッタ７０に入射した光のうち、赤外光線はビームスプリッタ７０を透過して、結像レンズ８１によりエリアセンサ８０のセンサ面８０ａに像を結ぶ。また、ビームスプリッタ７０に入射した光のうち、可視光線はビームスプリッタ７０で反射して、結像レンズ６１によりエリアセンサ６０のセンサ面６０ａに像を結ぶ。
【００６４】
エリアセンサ８０のセンサ面８０ａに像が形成されると、この像の映像信号がエリアセンサ８０から出力される。エリアセンサ８０から出力された映像信号は、映像回路９２でＴＶ信号に変換され、信号レベル反転回路９３に入力される。入力されたＴＶ信号の信号レベルは、信号レベル反転回路９３で画素ごとに反転させられて、信号レベル加算回路９４に入力される。また、エリアセンサ６０のセンサ面６０ａに像が形成されると、この像の映像信号がエリアセンサ６０から出力される。エリアセンサ６０から出力された映像信号は、映像回路９１でＴＶ信号に変換され、信号レベル加算回路９４に入力される。
【００６５】
このように信号レベル加算回路９４には、信号レベル反転回路９３からのＴＶ信号と映像回路９１からのＴＶ信号とが入力され、これらのＴＶ信号の信号レベルが画素ごとに重ね合わせられる。信号レベル加算回路９４で重ね合わせられたＴＶ信号はビデオモニタ４０に与えられ、このＴＶ信号が紙幣Ａの画像として表示窓１１に表示される。
【００６６】
ここで、一般インクにおける可視波長域に対する反射率と特殊インクにおける可視波長域に対する反射率とが近似し、かつ、比較的小さいことから、エリアセンサ６０から出力される映像信号は、紙幣Ａの背景部分が白（背景部分は反射率が高いため）で、一般インク及び特殊インクで描かれた部分が黒で表示される映像信号となる。また、特殊インクにおける赤外波長域に対する反射率が一般インクにおける赤外波長域に対する反射率と比較して極めて大きいことから、エリアセンサ８０から出力される映像信号は、紙幣Ａの背景部分及び特殊インクで描かれた部分が白で、一般インクで描かれた部分が黒で表示される映像信号となる。
【００６７】
続いて、信号レベル反転回路９３によって映像回路９２から出力されたＴＶ信号の白黒レベルを各画素毎に反転することにより、当該ＴＶ信号は、紙幣Ａの背景部分及び特殊インクで描かれた部分が黒で、一般インクで描かれた部分が白で表示されるＴＶ信号となる。
【００６８】
さらに、信号レベル加算回路９４により、信号レベル反転回路９３によって反転させたＴＶ信号と映像回路９１から出力されたＴＶ信号とを各画素毎に重ね合わせることで、紙幣Ａの背景部分及び一般インクで描かれた部分が白で、特殊インクで描かれた部分が黒のＴＶ信号となり、特殊インクで描かれた画像を抽出することが可能となる。その結果、特殊インクで印刷された部分は黒の画像として表示窓１１に表示される。
【００６９】
ここで、紙幣Ａが顔の部分に特殊インクを用いてそれ以外の部分に一般インクを用いて印刷した真正紙幣の場合、紙幣Ａの模様の白と黒とが反転し且つ顔の部分が黒く塗りつぶされたＴＶ信号が信号レベル反転回路９３から出力される（図４（ａ）参照）。また、紙幣Ａの模様のＴＶ信号が映像回路９１から出力される（図４（ｂ）参照）。そして、これらのＴＶ信号が信号レベル加算回路９４で重ね合わせられることにより、顔の部分だけの画像が表示窓１１に表示される（図４（ｃ）参照）。
【００７０】
従って、表示窓１１に表示された画像に基づいて紙幣Ａの真偽を判定する場合、真正紙幣の画像は顔の部分だけが浮かび上がるので、真正紙幣の判定を容易に行うことができる。また、赤外線を反射するインクによるカラーコピーで作成された偽造紙幣の画像は全面が黒くなるので、カラーコピーによる偽造紙幣の判定も容易である。さらに、赤外線を吸収するトナーによるモノクロコピーで作成された偽造紙幣の画像も全面が黒くなるので、モノクロコピーによる偽造紙幣の判定も容易である。以上のように、紙幣Ａの真偽の判定は表示窓１１に表示された画像に基づいて容易に行うことができるので、熟練したオペレータを必要とせず、且つ、見本と比較する必要もない。
【００７１】
なお、一般インクの部分で反射した光によるエリアセンサ６０，８０の受光量とがほぼ等しくなるのは、可視光線と赤外線との照射量がほぼ等しく、且つエリアセンサ６０，８０の受光感度が同一であるからである。ここで、可視光線と赤外線との照射量が異なる場合には、受光感度の異なるエリアセンサ６０，８０を用いることにより、エリアセンサ６０，８０の受光量をほぼ等しくさせることができる。また、エリアセンサ６０，８０の受光感度が異なる場合にも、可視光線と赤外線との照射量を変えることにより、エリアセンサ６０，８０の受光量とをほぼ等しくさせることができる。
【００７２】
（第５の実施形態）
次に、第５の実施形態である紙葉類真偽識別装置５を説明する。図１２は、紙葉類真偽識別装置５を示す断面図である。また、図１３は、紙葉類真偽識別装置５の内部構成を示すブロック図である。この第５の実施形態が図５に示す第２の実施形態と異なるのは、仕切り板５０の下面に、赤外帯域に感度を有するエリアセンサ８０と結像レンズ８１が配設され、側板１０ｄに、可視光帯域に感度を有するエリアセンサ６０及び結像レンズ６１とが配設され、ビームスプリッタ７０が、赤外線を透過させてエリアセンサ８０に向けて直進させると共に、可視光線を反射させて側板１０ｄに向けて直進させるダイクロイックミラーである点である。その他の構成については第２の実施形態と同一又は同等である。なお、第２の実施形態と同一又は同等な構成部分については同一符号を付し、その説明は省略する。
【００７３】
図１２及び図１３に示すように、遮光ケース１０内部の一方の側板１０ｃには可視光線および赤外光線の双方を備えた光源１００が斜め下方を向けて取り付けられ、光源１００から照射される光によって紙幣Ａは均一に照明される。紙幣Ａで反射した光は上方に直進して、ビームスプリッタ７０で可視光線と赤外線とに分離される。そして、可視光線はエリアセンサ６０に、赤外線はエリアセンサ８０にそれぞれ入射され、各エリアセンサ６０，８０から映像信号が出力される。エリアセンサ８０から出力された映像信号は、映像回路９２でＴＶ信号に変換され、信号レベル反転回路９３に入力される。入力されたＴＶ信号の信号レベルは、信号レベル反転回路９３で画素ごとに反転させられて、信号レベル加算回路９４に入力される。また、エリアセンサ６０のセンサ面６０ａに像が形成されると、この像の映像信号がエリアセンサ６０から出力される。エリアセンサ６０から出力された映像信号は、映像回路９１でＴＶ信号に変換され、信号レベル加算回路９４に入力される。
【００７４】
このように信号レベル加算回路９４には、信号レベル反転回路９３からのＴＶ信号と映像回路９１からのＴＶ信号とが入力され、これらのＴＶ信号の信号レベルが画素ごとに重ね合わせられる。信号レベル加算回路９４で重ね合わせられたＴＶ信号はビデオモニタ４０に与えられ、このＴＶ信号が紙幣Ａの画像として表示窓１１に表示される。
【００７５】
上述したように、紙幣Ａが偽造紙幣の場合には、全面が黒の画像が表示窓１１に表示され、紙幣Ａが真正紙幣の場合には、顔の部分だけの画像が表示窓１１に表示される。従って、表示窓１１に表示された画像に基づいて紙幣Ａの真偽を判定する場合、真正紙幣の画像は顔の部分だけが浮かび上がるので、真正紙幣の判定を容易に行うことができる。また、赤外線を反射するインクによるカラーコピーで作成された偽造紙幣の画像は全面が黒くなるので、カラーコピーによる偽造紙幣の判定も容易である。さらに、赤外線を吸収するトナーによるモノクロコピーで作成された偽造紙幣の画像も全面が黒くなるので、モノクロコピーによる偽造紙幣の判定も容易である。以上のように、紙幣Ａの真偽の判定は表示窓１１に表示された画像に基づいて容易に行うことができるので、熟練したオペレータを必要とせず、且つ、見本と比較する必要もない。
【００７６】
なお、本発明は上記実施形態に限定されることなく、本発明の趣旨から逸脱しない範囲内において、例えば以下のように変更することも可能である。
【００７７】
（１）上記実施形態では、紙葉類として紙幣を用いて説明したが、紙幣以外にも、印紙、有価証券、その他の紙葉類の識別を行うことができる。
【００７８】
（２）上記実施形態では、第２波長の光線として赤外線を用いたが、紫外線を用いてもよい。
【００７９】
（３）上記第１，２，４，５の実施形態では、ビームスプリッタ７０を用いて紙幣Ａで反射した光をエリアセンサ６０とエリアセンサ８０とに分岐させていたが、ビームスプリッタ７０を用いずに、仕切り板５０の下面にエリアセンサ６０とエリアセンサ８０とを並べて配置して、紙幣Ａで反射した光をエリアセンサ６０とエリアセンサ８０とで同時に入射できるようにしてもよい。
【００８０】
【発明の効果】
本発明による紙葉類真偽識別装置は、以上のように構成されているため次のような効果を得ることができる。
【００８１】
即ち、偽造紙幣は全面が肉眼で見たと同様の画像或いは白レベルの画像となり、真正紙幣は特定の模様が浮かび上がった画像となるので、真正紙葉類と偽造紙葉類との判定が容易になる。このため、熟練したオペレータを必要とせず、且つ、見本と比較しなくても紙葉類の真偽を容易に判定することができる。
【００８２】
また、紙葉類に対して第１波長の光と第２波長の光とを照射するだけで、第１波長の光による映像と第２波長の光による映像との異なる部分が浮かび上がった映像が表示手段に表示される。このように、簡単な操作で誰でも紙葉類真偽識別装置を使用することができ、表示手段の表示から簡単に真偽を判定することができる。
【図面の簡単な説明】
【図１】紙葉類真偽識別装置の第１の実施形態を示す断面図である。
【図２】図１の紙葉類真偽識別装置の内部構成を示すブロック図である。
【図３】図１の紙葉類真偽識別装置の使用状態を示す概略図である。
【図４】（ａ）は、信号レベル反転回路から出力された画像を示す図である。（ｂ）は、エリアセンサから出力された画像を示す図である。（ｃ）は、ビデオモニタに表示された画像を示す図である。
【図５】紙葉類真偽識別装置の第２の実施形態を示す断面図である。
【図６】図５の紙葉類真偽識別装置の内部構成を示すブロック図である。
【図７】紙葉類真偽識別装置の第３の実施形態を示す断面図である。
【図８】図７の紙葉類真偽識別装置の内部構成を示すブロック図である。
【図９】紙葉類真偽識別装置の第４の実施形態を示す断面図である。
【図１０】図９の紙葉類真偽識別装置の内部構成を示すブロック図である。
【図１１】図９の紙葉類真偽識別装置の使用状態を示す概略図である。
【図１２】紙葉類真偽識別装置の第５の実施形態を示す断面図である。
【図１３】図１２の紙葉類真偽識別装置の内部構成を示すブロック図である。
【符号の説明】
１，２，３，４，５…紙葉類真偽識別装置、２０…緑色ＬＥＤ、３０…赤外ＬＥＤ、４０…ビデオモニタ、６０…エリアセンサ、６１…結像レンズ、７０…ビームスプリッタ、８０…エリアセンサ、８１…結像レンズ、９３…信号レベル反転回路、９４…信号レベル加算回路、１００…光源、１１０…エリアセンサ、１２０…照明切換回路、１３０…映像切換回路、Ａ…紙幣。
【図１】
0003862420.tif 000002
【図２】
0003862420.tif 000003
【図３】
0003862420.tif 000004
【図４】
0003862420.tif 000005
【図５】
0003862420.tif 000006
【図６】
0003862420.tif 000007
【図７】
0003862420.tif 000008
【図８】
0003862420.tif 000009
【図９】
0003862420.tif 000010
【図１０】
0003862420.tif 000011
【図１１】
0003862420.tif 000012
【図１２】
0003862420.tif 000013
【図１３】
0003862420.tif 000014